(57)【特許請求の範囲】
【請求項１】
被覆電線の導体部分を圧着する圧着部を、
前記導体部分を載置する圧着底面と、該圧着底面の幅方向両側から延出する圧着片とで構成し、
圧着した前記導体部分を係止する係止溝を、前記圧着底面から前記圧着片に至るまで幅方向に形成し、
前記係止溝を、前記圧着底面における長手方向に所定間隔を隔てて複数配置し、
複数配置した前記係止溝のうち、少なくとも前記圧着端子の基端側に配置した係止溝を、幅方向中央の深さが、幅方向端部付近の深さより浅い中央浅型係止溝で構成し、
前記中央浅型係止溝を、幅方向中央から幅方向端部に向かって徐々に深くなる傾斜底面で形成するとともに、該中央浅型係止溝における幅方向端部である幅方向側面を傾斜側面で形成した
圧着端子。
【発明の詳細な説明】
【技術分野】
【０００１】
この発明は、例えば、被覆電線の導体部分に圧着して、被覆電線の先端に装着する圧着端子に関する。
【背景技術】
【０００２】
従来から、被覆電線の先端に装着する端子金具として、被覆をはがした導体部分を圧着する圧着部を備えた圧着端子が多く用いられている。  
詳しくは、圧着端子は、先端側に配置した端子接続部と、被覆電線の導体部分を圧着する基端側に配置した圧着部とで構成するとともに、該圧着部を、前記導体部分を載置する圧着底面と、該圧着底面の幅方向両側から延出するワイヤーバレルと呼ばれる圧着片とで構成し、前記圧着底面に、セレーションと呼ばれる幅方向の溝形状である係止溝を、前後方向に所定間隔を隔てて複数備えている。
【０００３】
上記構成で構成された圧着端子によって、圧着底面に載置した導体部分を圧着片で圧着し、端子接続部と導体部分とを電気的かつ機械的に接続することができる。
【０００４】
なお、圧着部を筒状に構成し、筒状の内面に圧着底面を設ける場合であっても、筒状内部に前記導体部分を挿入して圧着底面に載置し、筒状の圧着部を外部から潰して圧着することによっても、端子接続部と導体とを電気的かつ機械的に接続することができる。
【０００５】
また、セレーションを備えたことにより、圧着された導体部分の一部がセレーションの溝形状に応じて変形して、圧着された導体部分の圧着部からの引抜きを防止することができる。すなわち、セレーションによって導体部分と圧着端子との機械的接続をより確実にすることができる。
【０００６】
さらにまた、圧着された導体部分の一部がセレーションの溝形状に応じて変形する際に、セレーションのエッジ部が導体部分に対して局所的に強い圧力を付与し、導体部分の表面に生じている酸化物等の抵抗物質を除去することができ、電気接続性を向上することができる。
【０００７】
しかし、このような圧着端子と導体部分との接続において、圧着片による圧着が弱いと導体部分との電気的接続における電気抵抗が増大し、逆に、圧着片による圧着が強いとセレーションに食い込む変形による変形負荷が増大して、導体部分の強度が低下し、使用上必要な強度以下の荷重で破断する惧れがあった。
【０００８】
そこで、圧着部と導体部分との間に別部材である圧着部材を介在させて圧着することによって導体部分が破断するような強い圧着を行わずとも、接触面積を拡大させ、電気抵抗を小さくすることのできる圧着方法が提案されている（特許文献１参照）。
【０００９】
上記特許文献１の圧着方法を用いることによって、良好な電気的接続及び機械的接続を両立することはできるものの、圧着時には別部材である圧着部材を介在させる必要があり、圧着作業の工程が増えるとともに、作業性が困難となるといった問題があった。また、圧着部材の部品コストが必要となるため、圧着端子に関するコストが増大するといった問題もあった。
【００１０】
さらには、近年の電子機器の軽量化、小型化に応じた電線の極細化が図られており、電線の極細化に伴って端子も小型化されている。そのような状況において、小型化された圧着端子に、極細化された導体部分を圧着する際に、その間に別部材で構成する圧着部材を介在させることは益々困難となっている。
【特許文献１】特開２００５−３０２４７５号公報
【発明の開示】
【発明が解決しようとする課題】
【００１１】
この発明は、電気接続性及び機械接続性を向上することができる圧着端子を提供することを目的とする。
【課題を解決するための手段】
【００１２】
この発明は、被覆電線の導体部分を圧着する圧着部を、前記導体部分を載置する圧着底面と、該圧着底面の幅方向両側から延出する圧着片とで構成し、圧着した前記導体部分を係止する係止溝を、前記圧着底面から前記圧着片に至るまで幅方向に形成し、前記係止溝を、前記圧着底面における長手方向に所定間隔を隔てて複数配置し、複数配置した前記係止溝のうち、少なくとも前記圧着端子の基端側に配置した係止溝を、幅方向中央の深さが、幅方向端部付近の深さより浅い中央浅型係止溝で構成し、前記中央浅型係止溝を、幅方向中央から幅方向端部に向かって徐々に深くなる傾斜底面で形成するとともに、該中央浅型係止溝における幅方向端部である幅方向側面を傾斜側面で形成したことを特徴とする。
【００１３】
上記圧着部は、圧着底面と、圧着底面の幅方向両側に配置されたいわゆるバレル片と呼ばれる圧着片とを備え、圧着前の状態で背面視略Ｕ型のオープンバレル形式や、あらかじめ圧着片の先端を上方で当接させた背面視略Ｏ型のクローズバレル形式のワイヤーバレルであることを含む。なお、圧着片の先端の当接とは、溶接等によって接合された状態、接触させただけの当接状態、あるいはわずかな隙間のある略当接状態であることを含む。
【００１４】
上記圧着端子は、上記圧着部と、雌型コネクタＢＯＸ、雄型コネクタＢＯＸ、あるいはねじ挿通孔の端子接続部とを備えた接続端子や、圧着部のみで構成する接続端子であることを含む。
【００１５】
上記被覆電線は、複数の素線が純銅、銅合金、アルミニウム、アルミニウム合金のいずれかで構成された導体部分を絶縁性被覆体で被覆する被覆電線であり、例えば、軟銅線の素線で構成された導体部分を有する極細被覆電線であることを含む。
【００１６】
上記係止溝は、長手方向に対して略直角方向に配された断面溝形状のセレーションであること含む。  
上記幅方向端部に向かって徐々に深くなる傾斜底面は、幅方向中央が浅く、幅方向中央から幅方向外側に向かって幅方向に徐々に深さが深くなるように平面や曲面で構成された底面であることを含む。
【００１７】
上記傾斜側面は、係止溝の幅方向端部に備えたテーパー面で形成した側面であることを含む。  
上記基端側の係止溝は、長手方向に所定間隔を隔てて複数配設した係止溝のうち、接続される被覆電線側の係止溝であることを含む。
【００１８】
上記長手方向は、圧着端子における基端側と先端側とを結ぶ方向であることを含み、上記幅方向は、該長手方向に対して直交し、圧着底面に沿う方向であることを含む。
【００１９】
このように、被覆電線の導体部分を圧着する圧着部を、前記導体部分を載置する圧着底面と、該圧着底面の幅方向両側から延出する圧着片とで構成し、前記圧着底面に、幅方向の係止溝を備え、前記係止溝における幅方向端部である幅方向側面を、傾斜側面で形成したことによって、係止溝を備えたことによる効果に加えて、上記圧着部による圧着によって生じる係止溝へ食い込んだ変形において、係止溝の幅方向端部付近における導体部分の変形による負担を低減することができる。
【００２０】
詳しくは、係止溝を備えたことによる効果として、導体部分を圧着部で圧着した際に、係止溝に沿った変形、即ち係止溝に食い込む変形が導体部分に生じ、圧着部で圧着された導体部分の引抜き抵抗を向上させ、機械接続性を向上することができる。また、圧着された導体部分の一部が係止溝に応じて変形する際に、係止溝のエッジ部が導体部分に対して局所的に強い圧力を付与し、導体部分の表面に生じている酸化物等の抵抗物質を除去することができ、電気接続性を向上することができる。
【００２１】
さらに、前記係止溝における幅方向端部である幅方向側面を、傾斜側面で形成したことによって、係止溝の幅方向端部付近における導体部分の変形は、溝形状を構成する先端側溝側面及び基端側溝側面による長手方向の変形に加えて幅方向側面による幅方向の変形も加わるが、幅方向側面を傾斜側面で形成したことによって、幅方向側面による幅方向の変形が緩やかになり、係止溝の幅方向端部における変形による負荷を低減することができる。  
したがって、機械接続性を向上することができる。
【００２２】
また、前記係止溝を、幅方向中央の深さが、幅方向端部付近の深さより浅い中央浅型係止溝で構成したことによって、圧着片による導体部分の圧着状態における導体部分に生じる圧着負荷を低減することができる。
【００２３】
詳しくは、圧着片で導体部分を圧着する圧着部において、圧着方向にあって、圧着応力が大きく付与される底面中央付近にある係止溝の幅方向中央に導体部分が最も食い込むこととなり、導体部分に大きな負荷が生じるが、この係止溝の幅方向中央を浅く形成したことにより、係止溝に食い込む導体部分の変形量を低減でき、導体部分に生じる圧着負荷を低減することができる。
【００２４】
また、幅方向中央から幅方向端部に向かって溝深さが深くなるように形成しているため、圧着応力が分散された幅方向中央以外の箇所であっても導体部分が十分に係止溝に食い込んで変形し、電気接続性及び機械接続性を向上することができる。  
したがって、信頼性の高い接続を実現することができる。
【００２５】
また、前記中央浅型係止溝を、幅方向中央から幅方向端部に向かって徐々に深くなる傾斜底面で形成したことによって、周方向に滑らかに変化し、折れ点や変曲点のように負荷が集中するような断面変化点を有することのない導体部分の変形を構成することができる。  
したがって、係止溝に食い込んで変形した変形部分に対して負荷が局所的に集中することがなく、信頼性の高い接続を実現することができる。
【００２６】
また、前記係止溝を、前記圧着底面における長手方向に所定間隔を隔てて複数配置し、複数配置された前記係止溝のうち、少なくとも基端側の係止溝を中央浅型係止溝で形成したことによって、より効率的な電気的接続及び機械的接続を実現することができる。
【００２７】
詳しくは、長手方向に所定間隔を隔てて複数の係止溝を備えた場合、圧着部で圧着された導体部分への引抜き力の多くは、最も基端側の係止溝、即ち被覆電線側の係止溝に食い込んだ変形部分に付与され、この変形部分が破断する惧れがある。
【００２８】
しかし、最も基端側の係止溝以外の先端側にある係止溝を、幅方向に深さの変わらない通常の溝形状の係止溝で形成することで十分な接触面積を確保し、引抜き負荷が最も大きく付与される最も基端側の係止溝を中央浅型係止溝で形成することで、電気抵抗も少なく、引抜き強度の高い接続を実現することができる。
【発明の効果】
【００２９】
この発明によれば、電気接続性及び機械接続性を向上することができる圧着端子を得ることができる。
【発明を実施するための最良の形態】
【００３０】
この発明の一実施形態を以下図面と共に説明する。  
なお、図１は斜視図による圧着端子１の説明図を示し，図２は平面図等による圧着端子１の説明図を示し、図３はワイヤーバレル部１０の圧着方法を説明する説明図を示し、図４は圧着端子１の縦断面図による説明図を示し、図５は圧着状態のワイヤーバレル部１０の幅方向断面図による説明図を示し、図６はワイヤーバレル部１０で圧着された芯線１０２の上面側斜視図と底面側斜視図とによる説明図を示している。
【００３１】
被覆電線１００の芯線１０２を圧着する圧着端子１のワイヤーバレル部１０は、芯線１０２を載置するバレル底部１１と、該バレル底部１１の幅方向Ｙの両側から延出するワイヤーバレル片１２とで構成し、バレル底部１１には、幅方向Ｙに配置したセレーション２０を備え、セレーション２０における幅方向Ｙの端部である幅方向側面２４を、テーパー側面で形成している。
【００３２】
セレーション２０（２０ａ，２０ｂ，２０ｃ）を、バレル底部１１における長手方向Ｘに所定間隔を隔てて３本配置し、３本配置されたセレーション２０のうち、後方セレーション２０ｃを、幅方向Ｙの中央部分の深さが幅方向端部付近の深さより浅い中央浅型係止溝で構成し、セレーション底面２３’を、幅方向中央から幅方向端部に向かって徐々に深くなる傾斜底面で形成している。
【００３３】
上述した圧着端子１の構成について詳述すると、圧着端子１は、長手方向Ｘの先端側である前方から基端側である後方に向かって図示省略する雄型コネクタの挿入を許容するコネクタボックス２と、コネクタボックス２の後方で、所定の長さの第１トランジション１８を介して配置されたワイヤーバレル部１０と、ワイヤーバレル部１０の後方で所定の長さの第２トランジション１９を介して配置されたインシュレーションバレル部１５とを一体に構成している。
【００３４】
なお、ワイヤーバレル部１０は、被覆電線１００の芯線１０２をかしめて圧着し、インシュレーションバレル部１５は被覆電線１００の絶縁被覆１０１をかしめて固定している。  
なお、被覆電線１００は、電子機器の近年の小型化、軽量化に伴い、従来のより線と比べて細い極細素線を束ねて芯線１０２を構成している。
【００３５】
圧着端子１は、図２（ａ）に示すような組立前の板状態から折り曲げ加工によって立体構成している。コネクタボックス２は、倒位の中空四角柱体で構成され、内部に長手方向Ｘの後方に折り曲げ、挿入される雄型コネクタに接触する接触片２ａを備えている。
【００３６】
圧着前のワイヤーバレル部１０は、図１（ｂ）に示すように、バレル底部１１と、その幅方向両側から斜め外側上方に延出するワイヤーバレル片１２とで構成し、後方視略Ｕ型に形成し、圧着前のインシュレーションバレル部１５も、バレル底部１７と、その幅方向両側から斜め外側上方に延出するインシュレーションバレル片１６とで構成し、後方視略Ｕ型に形成している。
【００３７】
なお、ワイヤーバレル部１０のバレル底部１１には、図１のａ部拡大図に示すように、長手方向Ｘに所定間隔を隔てて配置し、３本のセレーション２０（２０ａ、２０ｂ、２０ｃ）を備え、セレーション２０における幅方向端部である幅方向側面２４を、テーパー側面で形成している。
【００３８】
３本のうち最もコネクタボックス２側である前方セレーション２０ａと、３本の間に配置された中央セレーション２０ｂとは、幅方向の延長にわたって断面形状の変わらない四角形断面溝形状で構成し、後方セレーション２０ｃは幅方向端部付近が深く、幅方向中央付近の深さが浅い、即ち幅方向にわたり断面形状が変化する四角形断面溝形状で形成している。
【００３９】
詳述すると、前方セレーション２０ａ及び中央セレーション２０ｂの四角形断面溝形状は、いずれもバレル底部１１に直交する前方側面２１及び後方側面２２、並びに前方側面２１及び後方側面２２の下端を結ぶセレーション底面２３とで構成された凹状の縦断方向の断面が四角形である溝形状である。  
なお、前方側面２１及び後方側面２２の下端を結ぶセレーション底面２３はバレル底部１１に平行な面で形成されている。
【００４０】
また、中央浅型係止溝である後方セレーション２０ｃの四角形断面溝形状は、いずれもバレル底部１１に直交する前方側面２１’及び後方側面２２’、並びに前方側面２１’及び後方側面２２’の下端を結ぶセレーション底面２３’とで構成された凹状の縦断方向の断面が四角形である溝形状である。  
なお、前方側面２１’及び後方側面２２’の下端を結ぶセレーション底面２３’はバレル底部１１に平行な面で形成されている。
【００４１】
そして、中央浅型係止溝である後方セレーション２０ｃの溝深さの深い幅方向端部付近の部分は、前方セレーション２０ａ及び中央セレーション２０ｂの溝深さと同様の深さで形成され、幅方向中央部分の溝深さは前方セレーション２０ａ及び中央セレーション２０ｂの溝深さのおよそ半分程度の深さで形成している。
【００４２】
このように構成された圧着端子１の圧着前の状態において、図１（ｂ）に示すようにワイヤーバレル部１０と被覆電線１００とを配置し、図３に示す圧着アプリケータ２００で圧着することで図１（ｃ）に示すように、ワイヤーバレル部１０で芯線１０２を圧着して、圧着端子１を被覆電線１００に装着することができる。
【００４３】
詳しくは、被覆電線１００の芯線１０２がワイヤーバレル部１０の内側となり、絶縁被覆１０１の前端付近がインシュレーションバレル部１５の内側となるように、被覆電線１００を圧着端子１の上方から載置し（図１（ｂ）参照）、図３に示す圧着アプリケータ２００のアンビル２０１にセットする（図３（ａ）参照）。
【００４４】
そして、図３（ｂ）に示すように、ワイヤーバレル部１０の上からクリンパ２０２を降ろして、アンビル２０１とクリンパ２０２とでワイヤーバレル部１０を挟み込んで、図３（ｃ）に示すように、ワイヤーバレル片１２をカールさせる。
【００４５】
また、上述のワイヤーバレル部１０の圧着と同時に、インシュレーションバレル部１５の上から図示省略するインシュレーションバレル用のクリンパを降ろして、インシュレーションバレル用のアンビルとインシュレーションバレル用のクリンパとでインシュレーションバレル部１５を挟み込んで、インシュレーションバレル片１６をカールさせる。
【００４６】
これにより、図５に示すように、ワイヤーバレル片１２で芯線１０２をバレル底部１１に押圧し、さらにはインシュレーションバレル片１６で絶縁被覆１０１をバレル底部１７側に押圧し、幅方向に隣接する二山状の圧着状態を構成することができる。
【００４７】
こうして、ワイヤーバレル部１０における芯線１０２の圧着した接続状態において、図６に示すように、複数本の極細素線で構成する芯線１０２の上面の一部を除く外周部分がセレーション２０に食込んで変形する。
【００４８】
このように、セレーション２０に沿った変形、すなわちセレーション２０に食い込んだ食込み変形部１０３（１０３ａ，１０３ｂ）は、セレーション２０の四角形断面溝形状に対応する四角形断面で変形している。
【００４９】
したがって、セレーション２０における幅方向端部である幅方向側面２４を、テーパー側面で形成しているため、図５（ｂ）や図６（ａ）に示すように、変形部１０３の端部１０３ｃはテーパー形状で形成されることとなる。
【００５０】
また、前方セレーション２０ａ及び中央セレーション２０ｂによる食込み変形部１０３ａは上述したように、幅方向、すなわち芯線１０２の外周方向にすべて同じ深さで構成された四角形断面溝形状に対応する四角形断面で、芯線１０２の径外方向に突出することとなる。
【００５１】
また、同様に、後方セレーション２０ｃによる食込み変形部１０３ｂは上述したように、溝深さの深い幅方向端部付近の部分は、前方セレーション２０ａ及び中央セレーション２０ｂの溝深さと同様の深さで形成され、幅方向中央部分の溝深さは前方セレーション２０ａ及び中央セレーション２０ｂの溝深さのおよそ半分程度の深さで形成した溝形状に応じた、幅方向、すなわち芯線１０２の外周方向において底面側が薄く、上部が厚く構成された四角形断面で芯線１０２の径外方向に突出することとなる。
【００５２】
こうして、ワイヤーバレル片１２によるバレル底部１１への圧着により、芯線１０２がセレーション２０の形状に食い込んで変形する際に、セレーション２０における後方側面２２とバレル底部１１とで構成するエッジ部２２ａが芯線１０２に対して局所的に強い圧力を付与し、芯線１０２の表面に生じている酸化物等の抵抗物質を除去することができ、電気接続性を向上することができる。
【００５３】
また、セレーション２０に食い込んだ食込み変形部１０３が形成されることにより、バレル底部１１と芯線１０２との接触面積が増加されるため、さらにワイヤーバレル部１０と芯線１０２との電気接続性を向上することができる。
【００５４】
また、セレーション２０へ食い込んだ食込み変形部１０３により、芯線１０２のワイヤーバレル部１０に対する引抜き方向の抵抗を増加することができ、機械接続性を向上することができる。
【００５５】
さらに、セレーション２０における幅方向端部である幅方向側面２４を、テーパー側面で形成しているため、図５（ｂ）や図６（ａ）に示すように、セレーション２０の幅方向側面２４による芯線１０２の変形負荷を低減している。
【００５６】
詳しくは、図６（ａ）において点線で示すような幅方向側面２４をバレル底部１１に対して直交する端面で構成した場合、セレーション２０の幅方向側面２４付近における芯線１０２の変形は、前方側面２１及び後方側面２２による長手方向Ｘの変形に加えて、バレル底部１１に対して直交する端面による幅方向の変形も加わるため、他の長手方向Ｘの変形のみが生じる箇所に比べて変形による負荷が増大し、例えば、長手方向Ｘにおける後方向きの引抜き力が付与された際に破断する惧れがある。
【００５７】
しかし、幅方向側面２４をテーパー側面で形成したことによって、幅方向側面２４による端部１０３ｃの変形が緩やかになり、セレーション２０の幅方向側面２４における変形による負荷を低減することができる。したがって、より確実で安定した機械的接続を実現することができる。
【００５８】
また、上述したように、バレル底部１１にセレーション２０を備えたことによる芯線１０２の変形によって電気接続性及び機械接続性を向上することができるものの、図４（ｂ）のｄ部拡大図に示すように、後方セレーション３２０ｃも前方セレーション３２０ａや中央セレーション３２０ｂと同様の四角形断面溝形状で形成した場合、十分な引張り抵抗性を確保することができる。
【００５９】
しかし、被覆電線１００に引抜き方向の力が付与された場合、上記引張り力の大半が後方セレーション３２０ｃに食い込んだ食込み変形部３０３に付与され、食込み変形部３０３は後方セレーション３２０ｃの後方側面３２２によるエッジ部３２３によって破断し、機械接続性が低下する惧れがある。
【００６０】
逆に、後方セレーション２０ｃを浅く形成した場合も、十分な引張り抵抗が確保できず、ワイヤーバレル部１０と芯線１０２との機械接続性が低下する惧れがある。
【００６１】
しかし、本実施例の圧着端子１のように、後方セレーション２０ｃを芯線１０２の外周に沿って幅方向端部に向かって深さが深くなる中央浅型係止溝で構成したことにより、図６に示すように、芯線１０２の変形部１０３ｂは、底面側から上方に向かって厚みが徐々に厚くなる四角形断面で形成される。
【００６２】
このことからも分かるように、ワイヤーバレル片１２による圧着方向（図５における下向き方向）にある芯線１０２の底面側の変形部１０３ｂの変形量を低減させることによって、芯線１０２のセレーション２０へ食い込む変形による負荷を低減することができる。
【００６３】
さらには、ワイヤーバレル片１２による圧着応力が分散されたその他の箇所、すなわち、ワイヤーバレル片１２による圧着方向に対して角度を有する箇所の後方セレーション２０ｃは深く形成されているため、分散された圧着力であっても十分に食い込んで変形することができる。
【００６４】
したがって、圧着力が直接的に作用して変形による負荷の生じやすい底面側中央付近の後方セレーション２０ｃを浅く形成し、左右両側端部付近を深く形成したことによって、電気接続性及び機械接続性を向上するワイヤーバレル部１０と芯線１０２との接続を実現することができる。
【００６５】
なお、上記説明においては、後方セレーション２０ｃのみを中央浅型係止溝で形成したが、前方セレーション２０ａや中央セレーション２０ｂも中央浅型係止溝で構成してもよい。
【００６６】
また、あらかじめワイヤーバレル片１２の先端を上方で当接させた背面視略Ｏ型のクローズバレル形式のワイヤーバレルである場合であっても、上記効果を得ることができる。
【００６７】
この発明の構成と、上述の実施形態との対応において、
この発明の端子接続部は、コネクタボックス２に対応し、
以下同様に、
導体部分は、芯線１０２に対応し、
圧着部は、ワイヤーバレル部１０に対応し、
圧着底面は、バレル底部１１に対応し、
圧着片は、ワイヤーバレル片１２に対応し、
係止溝は、セレーション２０，前方セレーション２０ａ，中央セレーション２０ｂ，後方セレーション２０ｃに対応し、
傾斜底面は、セレーション底面２３’に対応し、
傾斜側面は、テーパー側面に対応し、
先端側は、長手方向Ｘの前方側に対応し、
基端側は、長手方向Ｘの後方側に対応するも、
この発明は、上述の実施形態の構成のみに限定されるものではなく、多くの実施の形態を得ることができる。
【図面の簡単な説明】
【００６８】
【図１】圧着端子の斜視図による説明図。
【図２】圧着端子の説明図。
【図３】ワイヤーバレル部の圧着方法を説明する説明図。
【図４】圧着端子の縦断面図による説明図。
【図５】圧着状態のワイヤーバレル部の幅方向断面図による説明図。
【図６】ワイヤーバレル部で圧着された芯線の斜視図による説明図。
【符号の説明】
【００６９】
１…圧着端子
１０…ワイヤーバレル部
１１…バレル底部
１２…ワイヤーバレル片
２０…セレーション
２０ａ…前方セレーション
２０ｂ…中央セレーション
２０ｃ…後方セレーション
２３’…セレーション底面
２４…幅方向側面
１００…被覆電線
１０２…芯線
Ｘ…長手方向
Ｙ…幅方向
【図１】
0005074984.tif 000002
【図２】
0005074984.tif 000003
【図３】
0005074984.tif 000004
【図４】
0005074984.tif 000005
【図５】
0005074984.tif 000006
【図６】
0005074984.tif 000007